【手続補正書】
【提出日】平成28年3月29日(2016.3.29)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ビデオデータの現在のブロックについての無損失コーディングシンタックス要素を受信することと、前記無損失コーディングシンタックス要素は、ビデオデータの前記現在のブロックが無損失コーディングモードを使用して符号化されることを示す、
ビデオデータの前記現在のブロックがビデオデータの前記現在のブロックのサイズに基づく現在の量子化ブロックであることを決定することと、
前記現在の量子化ブロックについてゼロのデルタ量子化パラメータ（ｄＱＰ）値を割り当てることと、
前記現在の量子化ブロックについての量子化パラメータ（ＱＰ）値を、前記割り当てられたｄＱＰ値およびＱＰ予測子に基づいて決定することと、
前記無損失コーディングモードおよび前記決定されたＱＰ値に従って前記現在の量子化ブロックを復号することと、ここにおいて、前記決定されたＱＰ値は、後続のＱＰ予測に使用される、
を備える方法。
【請求項２】
ビデオデータの前記現在のブロックは、ビデオデータのコーディング単位（ＣＵ）であり、前記方法は、
量子化グループ（ＱＧ）サイズを決定することと、
前記ＣＵが前記ＱＧサイズ以上の前記サイズを有することを決定することと
をさらに備える、請求項１に記載の方法。
【請求項３】
前記方法は、
前記割り当てられたｄＱＰ値を前記ＱＰ予測子の値に加えることによって前記ＱＰ値を決定することと、ここにおいて、前記ＱＰ予測子は、上の量子化ブロックおよび左の量子化ブロックのＱＰ値の平均値であり、前記上の量子化ブロックは、前記現在の量子化ブロックの上に位置付けられ、前記左の量子化ブロックは、前記現在の量子化ブロックの左に位置付けられる、請求項１に記載の方法。
【請求項４】
前記決定されたＱＰ値を使用してビデオデータの別のブロックについてのＱＰ予測を行うことをさらに備える、請求項１に記載の方法。
【請求項５】
ビデオデータを符号化する方法であって、
ビデオデータの現在のブロックが、無損失コーディングモードを使用して符号化されることとなることを決定することと、
ビデオデータの前記現在のブロックがビデオデータの前記現在のブロックのサイズに基づく現在の量子化ブロックであることを決定することと、
ビデオデータの前記現在の量子化ブロックについての量子化パラメータ（ＱＰ）値を、デルタ量子化パラメータ（ｄＱＰ）およびＱＰ予測子についてのゼロ値に基づいて決定することと、
ビデオデータの前記現在のブロックについての無損失コーディングシンタックス要素を生成することと、前記無損失コーディングシンタックス要素は、ビデオデータの前記現在のブロックが無損失コーディングモードを使用して符号化されることを示す、
前記無損失コーディングモードおよび前記決定されたＱＰ値に従って前記現在の量子化ブロックを符号化することと、ここにおいて、前記決定されたＱＰ値は、後続のＱＰ予測に使用される、
を備える方法。
【請求項６】
ビデオデータの前記現在のブロックは、ビデオデータのコーディング単位（ＣＵ）であり、前記方法は、
量子化グループ（ＱＧ）サイズを決定することと、
前記ＣＵが前記ＱＧサイズ以上の前記サイズを有することを決定することと
をさらに備える、請求項５に記載の方法。
【請求項７】
前記方法は、
前記割り当てられたｄＱＰ値を前記ＱＰ予測子の値に加えることによって前記ＱＰ値を決定することと、ここにおいて、前記ＱＰ予測子は、上の量子化ブロックおよび左の量子化ブロックのＱＰ値の平均値であり、前記上の量子化ブロックは、前記現在の量子化ブロックの上に位置付けられ、前記左の量子化ブロックは、前記現在の量子化ブロックの左に位置付けられる、請求項５に記載の方法。
【請求項８】
前記決定されたＱＰ値を使用してビデオデータの別のブロックについてのＱＰ予測を行うことをさらに備える、請求項５に記載の方法。
【請求項９】
ビデオデータを復号するように構成された装置であって、
ビデオデータの現在のブロックについての無損失コーディングシンタックス要素を受信するための手段と、前記無損失コーディングシンタックス要素は、ビデオデータの前記現在のブロックが無損失コーディングモードを使用して符号化されることを示す、
ビデオデータの前記現在のブロックがビデオデータの前記現在のブロックのサイズに基づく現在の量子化ブロックであることを決定するための手段と、
前記現在の量子化ブロックについてゼロのデルタ量子化パラメータ（ｄＱＰ）値を割り当てるための手段と、
前記現在の量子化ブロックについての量子化パラメータ（ＱＰ）値を、前記割り当てられたｄＱＰ値およびＱＰ予測子に基づいて決定するための手段と、
前記無損失コーディングモードおよび前記決定されたＱＰ値に従って前記現在の量子化ブロックを復号するための手段と、ここにおいて、前記決定されたＱＰ値は、後続のＱＰ予測に使用される、
を備える装置。
【請求項１０】
前記ビデオデータの前記現在のブロックは、前記ビデオデータのコーディング単位（ＣＵ）であり、ここにおいて、前記装置は、
量子化グループ（ＱＧ）サイズを決定するための手段と、
前記ＣＵが前記ＱＧサイズ以上の前記サイズを有することを決定するための手段と
をさらに備える、請求項９に記載の装置。
【請求項１１】
前記割り当てられたｄＱＰ値を前記ＱＰ予測子の値に加えることによって前記ＱＰ値を決定するための手段と、ここにおいて、前記ＱＰ予測子は、上の量子化ブロックおよび左の量子化ブロックのＱＰ値の平均値であり、前記上の量子化ブロックは、前記現在の量子化ブロックの上に位置付けられ、前記左の量子化ブロックは、前記現在の量子化ブロックの左に位置付けられる、
をさらに備える、請求項９に記載の装置。
【請求項１２】
ビデオデータを符号化するように構成された装置であって、
ビデオデータの現在のブロックが、無損失コーディングモードを使用して符号化されることとなることを決定するための手段と、
ビデオデータの前記現在のブロックがビデオデータの前記現在のブロックのサイズに基づく現在の量子化ブロックであることを決定するための手段と、
ビデオデータの前記現在の量子化ブロックについての量子化パラメータ（ＱＰ）値を、デルタ量子化パラメータ（ｄＱＰ）およびＱＰ予測子についてのゼロ値に基づいて決定するための手段と、
ビデオデータの前記現在のブロックについての無損失コーディングシンタックス要素を生成するための手段と、前記無損失コーディングシンタックス要素は、ビデオデータの前記現在のブロックが無損失コーディングモードを使用して符号化されることを示す、
前記無損失コーディングモードおよび前記決定されたＱＰ値に従って前記現在の量子化ブロックを符号化するための手段と、ここにおいて、前記決定されたＱＰ値は、後続のＱＰ予測に使用される、
を備える装置。
【請求項１３】
前記割り当てられたｄＱＰ値を前記ＱＰ予測子の値に加えることによって前記ＱＰ値を決定するための手段と、ここにおいて、前記ＱＰ予測子は、上の量子化ブロックおよび左の量子化ブロックのＱＰ値の平均値であり、前記上の量子化ブロックは、前記現在の量子化ブロックの上に位置付けられ、前記左の量子化ブロックは、前記現在の量子化ブロックの左に位置付けられる、
をさらに備える、請求項１２に記載の装置。
【請求項１４】
前記決定されたＱＰ値を使用してビデオデータの別のブロックについてのＱＰ予測を行うための手段をさらに備える、請求項８または１２に記載の装置。
【請求項１５】
命令を記憶した非一時的なコンピュータ可読記憶媒体であって、前記命令は、実行されると、１つ以上のプロセッサに、請求項１から４、または５から８に記載の方法のうちの任意の１つの方法を行わせる、非一時的なコンピュータ可読記憶媒体。